(57)【要約】      （修正有）【課題】レーザー光を用いたフィルムの切断において、ビード状の隆起物の発生を抑制する切断機を提供する。【解決手段】本発明に係る切断機は、フィルム９を吸引する吸引ロール５と、フィルム９にレーザー光を照射してフィルムを切断する照射装置６とを備え、吸引ロール５には複数の吸引孔１６が形成されており、照射装置６のレーザー光の照射方向は、吸引孔１６に向かっており、吸引ロール５には、吸引孔１６を介して空気を吸引することによってフィルム９を吸引ロール５の表面１５に向かって吸引する空気吸引装置を備える。【選択図】図７
2011200884.tif 000002
【特許請求の範囲】
【請求項１】
フィルムを吸引する吸引ロールと、フィルムにレーザー光を照射してフィルムを切断するレーザー光照射装置とを備える切断機において、
上記吸引ロールには複数の吸引孔が形成されており、
上記レーザー光照射装置のレーザー光の照射方向は、上記吸引孔に向かっており、
上記吸引ロールには、吸引孔を介して空気を吸引することによって上記フィルムを吸引ロールの表面に向かって吸引する空気吸引装置を備えていることを特徴とする切断機。
【請求項２】
上記複数の吸引孔が、吸引ロールの軸に対して垂直な複数の方向に沿って形成されていることを特徴とする請求項１に記載の切断機。
【請求項３】
上記レーザー光照射装置は、上記フィルムに非球面レンズを介してレーザー光を照射することを特徴とする請求項１または２に記載の切断機。
【請求項４】
フィルムを巻き出す巻出部と、
上記巻出部から巻き出されたフィルムを切断する請求項１〜３の何れか１項に記載の切断機と、
上記切断機によって切断されたフィルムを巻き取る巻取部を備えることを特徴とするスリッター機。
【請求項５】
フィルムの搬送方向におけるレーザー光照射装置よりも上流に、上記フィルムの一部を切断する切断刃および／またはフィルムの搬送方向におけるレーザー光照射装置よりも下流に、上記フィルムを切断する切断刃を備えることを特徴とする請求項４に記載のスリッター機。
【請求項６】
少なくとも一方の面に剥離フィルムが積層されているフィルムを切断対象物とすることを特徴とする請求項４または５に記載のスリッター機。
【請求項７】
搬送されているフィルムを切断するフィルムの切断方法において、
上記フィルムを、吸引孔が設けられた吸引ローラーの表面方向に上記吸引孔を介して吸引し、
吸引ローラーの表面方向に向かって吸引されたフィルムに対してレーザー光を照射することによってフィルムを切断することを特徴とするフィルムの切断方法。
【発明の詳細な説明】
【技術分野】
【０００１】
本発明は、切断機、これを備えるスリッター機およびフィルムの切断方法に関するものである。
【背景技術】
【０００２】
近年、フィルムは、光学フィルム、導電フィルム、保護フィルム、導電フィルム、配電板用フィルム、転写フィルムなどの様々の用途に用いられている。フィルムの製造過程における長尺のフィルムの巻取前には、フィルムの端部を切断する工程や、広幅のフィルムを所望の幅に応じて複数の狭幅に切断する工程がなされる。フィルムの切断には切断刃が広く用いられているが、以下のような問題点がある。
【０００３】
（１）フィルムは長尺であり、特にフィルムが積層フィルムである場合、切断刃に対する切断抵抗および摩擦力が大きい。このため、切断刃が欠ける、いわゆるチッピングの発生および切断刃が磨耗する問題がある。これにより、切断刃の交換によってランニングコストが増大する。
【０００４】
（２）フィルムを切断することによってフィルム屑が発生する。また、コーティングフィルムまたは積層フィルムを切断する際に、フィルムと共に接着層または粘着層を切断することによって樹脂屑が生じる。これらの異物が切断後のフィルムに付着することによって品質が低下し、歩留まりが低下することとなる。
【０００５】
（３）保護フィルムが積層された積層フィルムを切断する場合、保護フィルムの剥離が必ず生じるため、切断後に積層フィルムの端面研磨が必要不可欠となる。当該工程が必要なため、製造コストが圧迫される。
【０００６】
（４）割れが生じ易いフィルム、特に積層型偏光フィルムの切断において、ＰＶＡ（ポリビニルアルコール）層の切断面にノッチ（クラック）が入り易いため、積層型偏光フィルムに割れまたは破れが非常に生じ易い。
【０００７】
また、切断刃による切断に代わるレーザー光によるフィルムの切断方法の提案もなされている。例えば、特許文献１には、シェア刃の磨耗による切れ味の低下を回避するため、レーザー光による薄膜切断方法が開示されている。当該方法ではシェア刃を用いないため、シェア刃の磨耗は生じ得ない。
【０００８】
しかしながら、レーザー光にてフィルムを切断した場合、レーザー光のエネルギーがフィルムに吸収されて熱エネルギーに変換される。熱エネルギーは、フィルム材料の溶融、蒸発反応を引き起こしてフィルムを切断する。ここで、フィルムにレーザー光が照射された際、フィルムを形成する高分子材料の局部的な溶融が発生し、溶融した高分子材料において配向結晶構造から無配向非晶構造へ局部的構造変化が生じる。溶融した高分子材料の凝集力または表面張力によって切断面の表面形状は滑らかな面となるが、このとき同時に、切断端部にはビード状の盛り上がりが生じる。
【０００９】
このようなビード状の隆起物はフィルムがロール状に巻き取られるにつれて積層され、フィルムロールの両端部は中央部に比べて大径になる。いわゆる耳立ち現象が生じる。これにより、フィルム皺、ロール変形などの問題が生じてしまう。当該問題を解消する技術としては、特許文献２に配向フィルムをレーザー光にて切断した後、切断端部を押圧処理する方法が開示されている。
【先行技術文献】
【特許文献】
【００１０】
【特許文献１】特開昭５６‐１５１１８９号公報（１９８１年１１月２４日公開）
【特許文献２】特公平３‐１６２３６号公報（１９９１年３月５日公告）
【発明の概要】
【発明が解決しようとする課題】
【００１１】
しかしながら、特許文献２の方法では、フィルム端部においてビード状の隆起物の発生を抑制できないという問題点がある。
【００１２】
具体的に説明すると、特許文献２の方法では発生した盛り上がりを押圧することによって耳立ち現象を解消できるが、ビード状の隆起物が発生することに変わりはなく、切断端部においてフィルムに変形が生じてしまう。これにより、切断端部における品質が低下する。当該品質の低下によって種々の問題が生じ得る。一例として、貼合時に高い密着性が要求されるフィルム、例えば基板に貼合される偏光フィルムにおいて貼合面に気泡が咬み込むなどの問題が生じることが挙げられる。
【００１３】
本発明は、上記従来の問題点に鑑みなされたものであって、その目的は、レーザー光を用いたフィルムの切断において、ビード状の隆起物の発生を抑制する切断機を提供することにある。
【課題を解決するための手段】
【００１４】
本発明者らは、上記ビード状の隆起物を抑制するために鋭意検討を行ったところ、従来のレーザー光による切断方法では、フィルムが上下に振れるためレーザー光の焦点が定まらないことに着眼した。すなわち、特許文献２の図１のように、フィルムを搬送するラインにおいて、２つの搬送ローラー間に位置するフィルム部分にレーザー光が照射される。また、フィルムの照射装置とは反対側には通常、フィルムの切断時に生じたヒュームを吸引する装置が設置されるため、照射装置と反対面には、搬送ローラーを設置することは困難である。
【００１５】
このように、レーザー光が照射されるフィルム部分は支持がなされておらず、フィルムが上下に振れることとなる。振れの程度は、フィルムの搬送条件によるが少なくとも１００μ〜２００μｍである。このため、レーザー光の焦点を安定してフィルムに照射することができない。そこで、本発明者らは、フィルムをできるだけぶれないように一定の搬送状態でフィルムを搬送することに着眼して本発明を創作した。
【００１６】
本発明の切断機は、上記課題を解決するために、フィルムを吸引する吸引ロールと、フィルムにレーザー光を照射してフィルムを切断するレーザー光照射装置とを備える切断機において、上記吸引ロールには複数の吸引孔が形成されており、上記レーザー光照射装置のレーザー光の照射方向は、上記吸引孔に向かっており、上記吸引ロールには、吸引孔を介して空気を吸引することによって上記フィルムを吸引ロールの表面に向かって吸引する空気吸引装置を備えることを特徴としている。
【００１７】
上記の発明によれば、空気吸引装置による空気の吸引によって、フィルムが吸引ローラーの表面に向かって吸引される。当該切断機を、フィルム搬送機能を有するスリッター機などに組み込むことによって、フィルムは搬送が妨げられない状態で吸引ローラーの表面に沿って保持されることができ、フィルムに振れがほとんど生じない効果を得ることができる。このため、レーザー光照射装置からレーザー光が照射されると、フィルムにおけるレーザー光の焦点はフィルムに垂直な方向においてほとんど振れることがなく、レーザー光による熱エネルギーを集中させることができる。その結果、フィルムの切断端部においてビード状の隆起物の発生を抑制することができる。
【００１８】
さらに、上記レーザー光照射装置のレーザー光の照射方向は、上記吸引孔に向かっており、フィルムの切断に伴い生じるヒュームを吸引孔から速やかに吸引することができる。これにより、レーザー光の照射が妨げられない。
【００１９】
また、本発明の切断機では、上記複数の吸引孔が、吸引ロールの軸に対して垂直な複数の方向に沿って形成されていることが好ましい。
【００２０】
これにより、フィルムのより広範囲に対して吸引ロールの表面への吸引を行うことができる。これにより、フィルムをより安定して吸引ロールの表面に向かう方向へ吸引することが可能となる。
【００２１】
また、本発明の切断機では、上記レーザー光照射装置は、上記フィルムに非球面レンズを介してレーザー光を照射することが好ましい。
【００２２】
これにより、レーザー光の球面収差を補正することができ、フィルムにおけるレーザー光の焦点を狭くすることができる。よって、レーザー光による熱エネルギーを集中することができ、より鋭利にフィルムを切断することができる。
【００２３】
また、本発明のスリッター機は、フィルムを巻き出す巻出部と、上記巻出部から巻き出されたフィルムを切断する請求項１〜４の何れか１項に記載の切断機と、上記切断機によって切断されたフィルムを巻き取る巻取部を備えるものである。
【００２４】
上記スリッター機は、本発明に係る切断機を備えているため、フィルムにぶれがほとんど生じない状態でレーザー光による切断を行うことができ、ビード状の隆起物の発生を抑制することができる。
【００２５】
また、本発明のスリッター機では、フィルムの搬送方向におけるレーザー光照射装置よりも上流に、上記フィルムの一部を切断する切断刃および／またはフィルムの搬送方向におけるレーザー光照射装置よりも下流に、上記フィルムを切断する切断刃を備えることが好ましい。
【００２６】
これにより、レーザー光照射装置によってフィルムを切断しきれなかった場合であっても、さらに切断刃によって切断を行うことができ、非常に厚いフィルムであっても、レーザー光照射装置による切断が可能となる。
【００２７】
また、本発明のスリッター機では、少なくとも一方の面に剥離フィルムが積層されているフィルムを切断対象物とすることが好ましい。
【００２８】
本発明のスリッター機によれば切断したフィルムの切断端面にビード状の隆起物が生じ難いため、上記フィルムが切断対象物である場合、積層フィルムにおける剥離フィルムに浮きが生じ難く、好ましいといえる。
【００２９】
本発明の切断方法は、上記課題を解決するために、搬送されているフィルムを切断するフィルムの切断方法において、上記フィルムを、吸引孔が設けられた吸引ローラーの表面方向に上記吸引孔を介して吸引し、吸引ローラーの表面方向に向かって吸引されたフィルムに対してレーザー光を照射することによってフィルムを切断することを特徴としている。
【００３０】
これにより、搬送されているフィルムを吸引ローラーの表面方向に向かって吸引することができ、フィルムにぶれがほとんど生じない状態でレーザー光による切断を行うことができ、ビード状の隆起物の発生を抑制することができるという効果を奏する。
【発明の効果】
【００３１】
本発明の切断機は、以上のように、吸引ロールには複数の吸引孔が形成されており、上記吸引ロールには、吸引孔を介して空気を吸引することによって上記フィルムを吸引ロールの表面に向かって吸引する空気吸引装置を備えているものである。
【００３２】
それゆえ、上記切断機を、フィルム搬送機能を有するスリッター機などに組み込むことによって、フィルムにぶれがほとんど生じない状態でレーザー光による切断を行うことができ、ビード状の隆起物の発生を抑制することができるという効果を奏する。
【００３３】
また、本発明のフィルムの切断方法は、搬送されているフィルムを切断するフィルムの切断方法において、上記フィルムを、吸引孔が設けられた吸引ローラーの表面方向に上記吸引孔を介して吸引し、吸引ローラーの表面方向に向かって吸引されたフィルムに対してレーザー光を照射することによってフィルムを切断する方法である。
【００３４】
それゆえ、搬送されているフィルムを吸引ローラーの表面方向に向かって吸引することができ、フィルムにぶれがほとんど生じない状態でレーザー光による切断を行うことができ、ビード状の隆起物の発生を抑制することができるという効果を奏する。
【図面の簡単な説明】
【００３５】
【図１】本発明に係るスリッター機を示す側面図である。
【図２】本発明に係る吸引ロールおよびホースを示す平面図である。
【図３】図２のＡ‐Ａ’断面を示す断面図である。
【図４】図２のＢ‐Ｂ’断面を示す断面図である。
【図５】本発明に係る照射装置の一例を示す側面図である。
【図６】本発明に係る照射装置の変形例を示す側面図である。
【図７】図３の吸引ロールおよびホースに照射装置を設置した状態を示す断面図である。
【図８】本発明に係るスリッター機によってフィルムを切断する過程を示すフローチャートである。
【図９】本発明に係るスリッター機を用いたフィルムの切断過程を示す平面図である。
【図１０】（ａ）は実施例１にて切断した積層フィルムを示す側面図であり、（ｂ）は（ａ）は比較例１にて切断した積層フィルムを示す側面図である。
【図１１】（ａ）は、実施例１に係るガラス基板および貼合された偏光フィルムを示す断面図であり、（ｂ）は、比較例１に係るガラス基板および貼合された偏光フィルムを示す断面図である。
【発明を実施するための形態】
【００３６】
本発明の一実施形態について図１〜図９に基づいて説明すると以下の通りであるが、本発明はこれに限定されるものではない。まず、本発明に係るスリッター機について説明する。図１は、本発明に係るスリッター機１を示す側面図である。
【００３７】
スリッター機１は、巻出部２、搬送ロール３・３ａ・３ｂ・３ｃ・３ｄ、測長計４、切断刃４ａ、タッチロール４ｂ、測長計４ｃ、吸引ロール５、照射装置６、ホース７、空気吸引装置７ａおよび巻取部８ａ・８ｂを備えている。以下、各部材について説明する。
【００３８】
巻出部２は切断されるフィルム９を保持し、切断機１０へと巻き出すものである。巻出部２としては特に限定されず、公知の巻出部を使用できる。スリッター機１では、巻出部２として、円筒状の軸を用いており、フィルム９が巻かれた紙管またはプラスチック管などを保持することができる。巻出部２の側面には図示しないが巻出部２を回転される回転装置が備えられており、回転装置によって巻出部２が回転されて設置されたフィルム９が搬送方向に巻き出される。巻出部２の高さおよび巻出部２の水平方向における位置は適宜調整可能である。
【００３９】
巻出部２は１箇所に設置されているが、巻取部８ａ・８ｂのように巻出部２は互いに上下となる２箇所に設置されていてもよい。これにより、一方の巻出部２のフィルムが全て巻き出される前に、２つの巻出部２のフィルム同士を連結することができ、フィルム９の原反を交換する時間を削減できる。
【００４０】
スリッター機１には、搬送ロール３・３ａ・３ｂ・３ｃ・３ｄがフィルムの搬送経路に沿って配置されている。各搬送ロールの配置場所はフィルムの搬送経路に応じて適宜変更すればよい。また、フィルムをロールに押し当てるタッチロール４ｂもフィルムに沿って配置されている。上記搬送ロールおよびタッチロールは特に限定されず、公知のものを使用すればよい。また、上記搬送ロールおよびタッチロールの幅および直径も限定されない。通常、搬送ロールおよびタッチロールの幅は、１．５ｍ〜２．５ｍ程度である。
【００４１】
巻出部２および巻取部８ａ・８ｂの間には、吸引ロール５、照射装置６、ホース７および空気吸引装置７ａが備えられている。吸引ロール５、照射装置６および空気吸引装置７ａは、本発明における切断機１０に該当する。切断機１０は、搬送されたフィルム９を切断するものである。切断機１０については、図２〜図４を用いて後述する。
【００４２】
切断されたフィルム９は、搬送ロール３ｂから、３ｃおよび３ｄを通り、巻取部８ａに巻き取られる。なお、図１では、フィルム９を切断して巻き取っている状態を示している。巻取部８ａの下方には巻取部８ｂが配置されており、分割されたフィルムを分けて巻き取ることができる。
【００４３】
フィルム９は、スリッター機１の切断対象物である。フィルム９として特に限定されない。例えば、ポリエチレン（ＰＥ）フィルム、ポリビニルアルコール（PVA)フィルム、トリアセチルセルロース（ＴＡＣ）フィルム、ポリプロピレン（ＰＰ）フィルム、ポリスチレン（ＰＳ）フィルム、ポリイミド（ＰＩ）フィルム、ポリエチレンテレフタラート（ＰＥＴ）フィルム、ポリカーボネート（ＰＣ）フィルム、シクロオレフィンポリマー、環状オレフィン共重合体、ポリメタクリル酸メチルフィルム（ＰＭＭＡフィルム）などが挙げられる。また、フィルム９は複数フィルムが粘着層または接着層を介して積層された積層フィルムであってもよい。本発明に係るスリッター機によれば、フィルムの切断端部に変形が生じ難いため、積層されたフィルム、例えば剥離フィルム（セパレーター）に浮きが生じにくい。なお、本スリッター機によれば、単層フィルムはもちろん積層フィルムをも切断することができる。
【００４４】
スリッター機１は好ましい形態として切断刃４ａ・Ｃを備えている。切断刃４ａ・Ｃは、フィルムの厚さ方向においてフィルムを切断するものである。
【００４５】
積層フィルムのうち切断対象となるフィルムは、単に肉厚のフィルムである場合もあるが、切断対象が例えば偏光フィルムの場合、保護フィルムや機能を付加するフィルムの積層構造となっている場合が通常である。そして、積層されるフィルムの種類によってはレーザー光を吸収し難いフィルムもある。このような場合には、強いレーザー光を照射して切断することも考えられるが、レーザー光を吸収し易いフィルムはレーザー光を用いて切断し、レーザー光を吸収し難いフィルムのみを刃物で切断する、併用方式の採用が効率的となる。
【００４６】
このレーザー光を吸収し難いフィルムが積層構造の上側にくるか下側に来るかは、製品種により異なるので、切断刃の設置場所はレーザー切断機の上流側でも下流側の何れであってもよい。スリッター機１では、好ましい形態として上流側に切断刃Ｃを、下流側に切断刃４ａを備える構成となっている。ちなみにレーザー光を吸収し難いフィルムとしてはシクロオレフィンポリマー等が挙げられる。
【００４７】
これに対して、切断刃Ｃは照射装置６の上流に配置されており、レーザーカット前にフィルム９の一部を切断する、すなわち、切断するフィルムが厚い場合に事前に切り込みを入れておくこともできる。これによって、照射装置６に加えて切断がなされるため、非常に厚いフィルムであっても、照射装置６および切断刃Ｃによる切断が可能となる。また、切断刃４ａは照射装置６の下流に配置されており、レーザーカット後に完全に切断されていないフィルム９を切断することもできる。
【００４８】
上述したように、切断刃Ｃはフィルム９の搬送方向における照射装置６よりも上流に備えられている。上流とは、フィルムが巻き出される方向と逆の方向を意味し、具体的には、レーザー光照射装置よりも巻出部２寄りの位置を意味する。一方、切断刃４ａはフィルム９の搬送方向におけるレーザー光照射装置よりも下流に備えられている。下流とは、フィルムが巻き取られる方向を意味し、具体的には、レーザー光照射装置よりも巻取部８ａ寄りの位置を意味する。つまり、切断刃４ａはレーザーカット後にさらに切断を行うものである。
【００４９】
通常、照射装置６のみでフィルム９を切断することが可能であるが、フィルム９にレーザー光を吸収し難いフィルムが含まれている場合、照射装置６のみでは切断できない場合がある。そのような場合に、切断刃Ｃ・４ａを用いて切断の補助を行うことができる。つまり、これら切断刃Ｃ・４ａは、あくまで補助的なものである。このため、スリッター機１には切断刃Ｃおよび切断刃４ａの両方が備えられていてもよく、切断刃Ｃまたは切断刃４ａが備えられていてもよく、切断刃Ｃ・４ａが何れも備えられていない構成とすることもできる。
【００５０】
このように切断刃Ｃおよび／または切断刃４ａが備えられている場合、切断刃Ｃおよび／または切断刃４ａに加えて照射装置６によって切断がなされるため、切断刃Ｃおよび／または４ａのフィルム９の端辺からの距離は、照射装置６のフィルム９の端辺からの距離と同一である。
【００５１】
スリッター機１では切断刃Ｃ・４ａとして丸刃を用いているが、フィルム９の切断をすることができればよく、丸刃に代えて、平刃、２組の丸刃（シャーカット）などを用いてもよい。
【００５２】
図２は吸引ロール５およびホース７を示す平面図である。また、図３は図２のＡ‐Ａ’断面を示す断面図であり、図４は図２のＢ‐Ｂ’断面を示す断面図である。切断機１０は、空気吸引装置７ａによる吸引孔を介した空気の吸引によってフィルム９を吸引ロール５の表面に吸引するものである。なお、フィルム９を吸引ロール５の表面に吸引するとは、換言すると、フィルム９を吸引ロール５の表面に引きつけるということもできる。本発明のスリッター機１は、あくまでフィルム９を吸引ロール５の表面に吸引した（引きつけた）状態で搬送および切断するものであり、上記吸引はフィルム９の搬送を妨げるものではない。
【００５３】
図２に示すように、吸引ロール５と図示しない空気吸引装置７ａとはホース７によって接続されている。ホース７は、吸引ロール５と空気吸引装置７ａとを接続する部材であり、接続し易いよう蛇腹構造となっているが、構造は特に限定されない。土台１１の上には吸引ロール５を支持する支持部１２・１３が配置されており、支持部１２・１３の内側には、吸引ロール５位置調整に用いられる位置調整部１４・１４ａが配置されている。吸引ロール５には、支軸１７および支軸１８が備えられており、それぞれ支持部１２および支持部１３にて支持される構造となっている。
【００５４】
吸引ロール５は円筒形の形状を有しており、フィルム９は吸引ロールの軸方向（図２中のＡ‐Ａ’方向）がフィルム９の搬送方向と直交するように配置される。吸引ロール５の筐体内部および支軸１７の内部は図３および図４に示すように中空となっている。また、表面１５には複数の吸引孔１６が形成されている。吸引孔１６の形状は形成の容易さなどから円形状としている。しかし、吸引孔１６から空気が吸引されると共にフィルム９を表面１５に吸引することができればよいため、円形状に限定されるものではない。例えば、楕円状または三角形、四角形、五角形、六角形などの多角形状としてもよい。
【００５５】
また、吸引孔１６の直径はフィルム９を適切に吸引することができる大きさであれば特に限定されるものではない。例えば、１ｍｍ以上、２０ｍｍ以下の範囲とすることができ、形成の容易さから２ｍｍ以上、５ｍｍ以下とすることもできる。吸引孔１６は、吸引ロール５に複数形成されているが、吸引孔１６同士の間隔も適宜設定すればよい。
【００５６】
吸引ロール５において、吸引孔１６は表面１５から所定の距離を設けて形成されている。このため、吸引ロール５の胴部の吸引孔が形成されている部分は括れた構造となっている。このように形成することで、フィルム９を吸着した際にフィルム９が吸引孔１６の周囲と接触することを回避することができ好ましい。しかしながら、吸引孔１６は表面１５に沿った位置に形成されていてもよい。
【００５７】
吸引孔１６〜１６ｃが形成されている部分を具体的に例示すると、吸引孔１６〜１６ｃが形成されている部分は、吸引ロール５の表面１５よりも１５ｍｍ以上凹状であり、窪みの幅は略孔径と同じか若干大きめであり、深さは１５ｍｍ以上であり、そこに吸引孔１６〜１６ｃが穿たれている。
【００５８】
吸引孔１６〜１６ｃの形成面は表面１５に沿った位置であってもよいが、作業環境（フィルムをレーザー切断する際に発生するフュームの除去効率）、フューム凝集物固着によるフィルム汚染防止等の観点から凹状であることが好ましい。この場合、吸引孔が穿たれていない凹部表面にフィルムを貫通したレーザー光が反射し、切断所望箇所以外のフィルムが溶断され、切断品位を低下させるので、１５ｍｍ以上の深さの凹状部に吸引孔１６〜１６ｃを形成している。
【００５９】
図２に示す吸引ロール５には、複数の吸引孔１６・１６ａ・１６ｂ・１６ｃが吸引ロール５の軸に対して垂直な複数の方向に沿って形成されている。本発明に係る吸引ロールでは複数の吸引孔は少なくとも１列に形成されていればその効果が得られるが、吸引ロール５のように複数の吸引孔が複数列に形成されていることによって、フィルム９のより広範囲に対して表面１５への吸引を行うことができる。これにより、フィルム９をより安定して表面１５の方向へ吸引することが可能となる。なお、吸引孔の列の数は４列に限定されず、吸引孔の列同士の間隔も特に限定されるものではない。また、レーザーカットの吸引孔の列が形成された位置を変えることにより、スリットサイズを変えることができ、様々な幅に対応できる。
【００６０】
図示しない空気吸引装置７ａによって空気が吸引されると、図３の矢印方向へ空気が移動する。これにより、吸引孔１６・１６ａ・１６ｂ・１６ｃを通って空気が吸引されるため、当該空気の移動に伴い、搬送されているフィルム９を表面１５に向かって吸引することができる。また、ヒュームを吸引でき、フィルムの品質を確保できる。
【００６１】
次に、照射装置６について具体的に説明する。照射装置６はレーザー光を照射する部材であり、切断対象物であるフィルム９にレーザー光を照射して切断するために備えられている。図５は照射装置６の一例を示す側面図である。図５（ａ）に示すように、照射装置６はレーザー光発振器２１、ビームエキスパンダー２２、ベンドミラー２３および球面レンズ２４を備えている。これらの部材自体は特に限定されず、公知のものを使用することができる。また、各部材の設定もフィルム９を切断することができれば特に限定されるものではない。
【００６２】
図５（ａ）では、レーザー光発振器２１からレーザー光２６が照射される。レーザー光発振器２１としては二酸化炭素を媒体としたガスレーザーを発振する構成となっている。なお、レーザー光２６は、媒体が、固体、液体、半導体などであってもよい。
【００６３】
レーザー光２６はビームエキスパンダー２２にて直径が３倍に拡大されたレーザー光２７となる。さらに、レーザー光２７はベンドミラー２３でコリメート光２８とされた後、集光レンズである球面レンズ２４によってコリメート光２９はフィルム９に集光される。
【００６４】
図５（ｂ）は、球面レンズ２４周辺を示す側面図である。同図に示すように、集光レンズとして球面レンズ２４を用いた場合、球面収差によりフィルム９に平行な焦点幅には広がりが生じる。
【００６５】
一方、照射装置６の変形例を図６に示す。図６は、照射装置６の変形例を示す側面図である。図６（ａ）では、集光レンズとして非球面レンズを用いて球面収差を補正する点が特に異なっている。また、レーザー光発振器２１から照射されてレーザー光３０は、ビームエキスパンダー２２によって２倍に拡大されたレーザー光３１となるよう設定している。これにより、より焦点を狭くすることができる。
【００６６】
レーザー光３１はベンドミラー２３によってコリメート光３２となり、集光レンズである非球面レンズ２５によってコリメート光３３はフィルム９に集光される。図６（ｂ）は、非球面レンズ２５周辺を示す側面図である。同図に示すように、集光レンズとして非球面レンズ２５を用いた場合、球面収差を補正することができる。このため、コリメート光３３はフィルム９において集中され、焦点幅は狭くなる。このため、フィルム９をより鋭利に切断することができる。
【００６７】
照射装置６の配置について図７を用いて説明する。図７は、図３の吸引ロール５およびホース７に照射装置６を設置した状態を示す断面図である。図７ではフィルム９が吸引されている。同図に示すように、照射装置６は、レーザー光の照射方向が吸引孔１６に向かうように配置されている。同図において照射装置６は吸引ロール５の上方に配置されているが、レーザー光の照射方向が吸引孔１６に向かって配置されていればよく、照射装置６は吸引ロール５の側面または下方、斜め方向などに配置されていてもよい。
【００６８】
照射装置６がこのように配置されていることによって、レーザー光によりフィルム９が溶解された際に生じるヒュームは、吸引孔１６へと吸引されるため、レーザー光の照射が妨げられないという優れた効果を得ることができる。なお、上記ヒュームとは、フィルム９を構成する高分子が熱エネルギーによって溶解される際に生じる蒸気である。
【００６９】
照射装置６によってフィルム９へレーザー光が照射されるが、この際、空気吸引装置７ａによる空気の吸引によって、フィルム９が表面１５に向かって吸引されている。これにより、フィルム９は搬送が妨げられない状態で表面１５に沿って保持されており、上下への振れはほとんど生じない。このため、フィルム９におけるレーザー光の焦点はフィルム９に垂直な方向にほとんど振れることがなく、レーザー光による熱エネルギーを集中させることができる。その結果、フィルム９の切断端部においてビード状の隆起物の発生を抑制することができる。
【００７０】
従来の切断方法によれば、ビード状の隆起物が発生するため、フィルム切断後に切断端部の研磨工程を行う必要があった。しかし、本発明によれば、ビード状の隆起物の発生を抑制できるため、研磨工程を行う必要がない。このため、製品のタクトタイムを短いものとすることができ、製造コストも低減することができるという大きな効果がある。
【００７１】
また、同図ではフィルム９の端部をスリットする場合を示しているが、フィルム９を狭幅にスリットする際には、吸引孔１６ａまたは吸引孔１６ｂに向かって照射装置６を設置すればよい。さらに、照射装置６を複数設置してもよい。例えば、吸引孔１６・１６ａ・１６ｂ・１６ｃのそれぞれに向かって照射装置６を４台設置することによって、フィルム９の両端部をスリットすると共に、狭幅の３つのフィルムにスリットすることができる。
【００７２】
図８は、スリッター機１によってフィルム９を切断する過程を示すフローチャートである。また、図９は、フィルム９の切断過程を示す平面図である。
【００７３】
まず、スリッター機１において巻出部２から巻取部８ａまでフィルム９を設置する（図８のＳ１（Ｓはステップを示す））。その後、巻出部２および巻取部８ａを回転させ、フィルム９を巻取部８ａに向かって搬送する（図８のＳ２）。ここで、Ｓ２と並行して空気吸引装置７ａによって空気を吸引すると共にフィルム９を表面１５に向かって吸引する（図８のＳ３）。図９（ａ）はフィルム９が表面１５に沿って保持されている状態を示している。
【００７４】
次に、照射装置６からレーザー光をフィルム９に対して照射する（図８のＳ４）。これにより、フィルム９が切断される。図９（ｂ）は、切断された初期のフィルム９を示している。レーザー光の照射によりフィルム９が切断され、フィルム９に切断線Ｓが入っている。図９（ｃ）は図９（ｂ）の状態から時間が経過した状態を示しており、フィルム９が搬送方向に移動するにつれて、切断線Ｓが伸びていることが分かる。このようにしてフィルム９の切断（スリット）がなされる。
【００７５】
図８のＳ５において、スリットが終了したか否かが判断され、スリットが終了していない場合、Ｓ４に戻りレーザー光の照射が継続される。一方、スリットが終了した場合、一連の工程が終了する。
【００７６】
当該スリッター機１によるフィルム９の切断過程では、フィルム９が表面１５に向かって吸引されることにより搬送されつつも保持されている、すなわち、フィルム９にばたつきは生じ難い。このため、照射装置６から照射されたレーザー光（コリメート光）はフィルム９においてその位置がぶれ難く、所望の焦点に集中される。したがって、フィルム９の切断端面においてビード状の隆起物は生じがたい。よってフィルム９の鋭利な切断が可能となる。
【００７７】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【００７８】
〔実施例１〕
図１に係るスリッター機１を用いてフィルム９である積層フィルムを切断した。なお、切断刃Ｃは使用せず、切断には照射装置６のみを用いた。積層フィルムは、上から、ＰＥＴフィルム（５８μｍ）、ＴＡＣフィルム（８０μｍ）、ＰＶＡフィルム（２５μｍ）、シクロオレフィンポリマーフィルム（７０μｍ）、セパレートフィルムとしてＰＥＴフィルム（３８μｍ）が積層された構成となっている。
【００７９】
まず、積層フィルムをスリッター機１の巻出部２から巻取部８ａにまで設置し、積層フィルムの搬送速度が１０ｍ／分、張力が１５０Ｎ（単位を追記下さい）の条件にて積層フィルムを搬送した。
【００８０】
次に、空気吸引装置７ａを用いて、吸引孔１６を介して積層フィルムを吸引した。吸引は０．５ｂａｒの圧力にて行った。積層フィルムの吸引後、照射装置６を用いて積層フィルムを切断した。照射装置６としては、Ｃｏｈｅｒｅｎｔ社製のＤｉａｍｏｎｄ  Ｅ４００ｉを用い、パルス間隔が６６μｓｅｃ、パルス幅が６μｓｅｃにてレーザー光を照射した。集光レンズとしては非球面レンズを用い、図６に示した構成を採用した。
【００８１】
切断した積層フィルムを図１０（ａ）に示す。図１０（ａ）の積層フィルムは幅方向が横方向となるように示されており、切断面が右側に位置している。同図に示すように、切断した積層フィルムの切断端部には変形がほとんど生じていない。また、ビード状の隆起物もほとんど観測されなかった。
【００８２】
さらに、切断した積層フィルムからセパレートフィルムを剥離して、偏光フィルムをガラス基板に貼合した状態を図１１（ａ）に示す。図１１（ａ）は、ガラス基板および貼合された偏光フィルムを示す断面図である。ガラス基板は図中下側に配置されており、２５μｍの粘着層を介して偏光フィルムが貼合されている。同図に示すように、偏光フィルムには気泡がかみこまない状態で貼合がなされている。これは、偏光フィルムに変形がほとんど生じず、フラットな状態が保たれたためである。
【００８３】
〔比較例〕
スリッター機１における、吸引ロール５、ホース７および空気吸引装置７ａに代えて、照射装置６下方の積層フィルムを、特許文献２の図１のように２つの搬送ロールにて支持して切断を行った。すなわち、積層フィルムの吸引はなされない。また、実施例１とは異なり、照射装置６の下には何れのロールも配置されていない。上記の事項以外は、実施例１と同じ条件である。
【００８４】
切断した積層フィルムを図１０（ｂ）に示す。図１０（ｂ）の積層フィルムは幅方向が横方向となるように示されており、切断面が右側に位置している。同図に示すように、切断した積層フィルムの切断端部には変形が生じており、最上層のプロテクトフィルムには１８μｍの、最下層のセパレートフィルムには３５μｍのビード状の隆起物が発生していた。
【００８５】
さらに、切断した積層フィルムからセパレートフィルムを剥離して、偏光フィルムをガラス基板に貼合した状態を図１１（ｂ）に示す。図１１（ｂ）は、ガラス基板および貼合された偏光フィルムを示す断面図である。ガラス基板は図中下側に配置されており、ガラス基板に貼合された偏光フィルムには５２０μｍに亘り気泡が観測された。これは、実施例１と異なり、照射装置６の下方において積層フィルムが上下に振れた（ばたついた）ため、レーザー光の焦点にぶれが生じたことが要因であると考えられる。
【００８６】
実施例１と比較例１とにおける切断された積層フィルムから、本発明に係るスリッター機を用いることによって、積層フィルムをより鋭利に切断することができた。その結果、積層フィルムにビード状の隆起物の発生を抑制することができた。
【産業上の利用可能性】
【００８７】
本発明に係る切断機は、ビード状の隆起物の発生を抑制してフィルムを切断することができるため、フィルムを用いる分野において利用可能である。
【符号の説明】
【００８８】
１    スリッター機
２    巻出部
３・３ａ・３ｂ・３ｃ・３ｄ  搬送ロール
４・４ｃ  側長計
４ａ  切断刃
４ｂ  タッチロール
５    吸引ロール
６    照射装置（レーザー光照射装置）
７    ホース
７ａ  空気吸引装置
８ａ  巻取部
８ｂ  巻取部
９    フィルム
１０    切断機
１１    土台
１２・１３    支持部
１４・１４ａ  位置調整部
１５    表面
１６・１６ａ・１６ｂ・１６ｃ  吸引孔
１７・１８    支軸
２１    レーザー光発振器
２２    ビームエキスパンダー
２３    ベンドミラー
２４    球面レンズ
２５    非球面レンズ
２６・２７・３０・３１    レーザー光
２８・２９・３２・３３    コリメート光
Ｃ    切断刃
Ｓ    切断線
【図１】
2011200884.tif 000003
【図２】
2011200884.tif 000004
【図３】
2011200884.tif 000005
【図４】
2011200884.tif 000006
【図５】
2011200884.tif 000007
【図６】
2011200884.tif 000008
【図７】
2011200884.tif 000009
【図８】
2011200884.tif 000010
【図９】
2011200884.tif 000011
【図１０】
2011200884.tif 000012
【図１１】
2011200884.tif 000013